(57)【要約】  【課題】偏光眼鏡を用いた、いわゆる偏光眼鏡方式の３Ｄ映像観察方法において問題となるクロストークを速やかに解消するための手段を提供する。  【解決手段】本発明の立体映像システムによれば、３Ｄ映像を観察している観察者の動きにより偏光眼鏡のレンズの偏光方向が変化した場合にどれだけ値が変化したかを示す差分値を電気的信号により検出する検出部を有し、検出部によって検出された差分値がゼロになるまで、偏光眼鏡のレンズを回転させたり映写装置から映写される左目用映像と右目用映像の光の偏光方向を変化させることで、クロストークを速やかに解消することができる。【選択図】  図１
2006113088.tif 000002
【特許請求の範囲】
【請求項１】
左右の目で認識させるために異なる偏光方向で左目用映像と、右目用映像とを映写する映写装置と、映写装置から映写された映像を見るための偏光眼鏡とからなる立体映像システムであって
前記映写装置は、
第一偏光方向にて左目用映像をスクリーンに対して映写する左目用映像偏光部と、
前記第一偏光方向と異なる偏光方向である第二偏光方向にて右目用映像をスクリーンに対して映写する右目用映像偏光部と、
を有し、
前記偏光眼鏡は、
第一偏光方向の光を透過して人間の左目に認識させるための左目用眼鏡レンズ部と、
第二偏光方向の光を透過して人間の右目に認識させるための右目用眼鏡レンズ部と、
前記第一偏光方向又は／及び前記第二偏光方向と、前記左目用眼鏡レンズ部又は／及び前記右目用眼鏡レンズ部が光を透過可能な偏光方向との差分値を検出する検出部と、
を有する立体映像システム。
【請求項２】
前記偏光眼鏡は、
前記検出部での検出結果に応じて前記左目用眼鏡レンズ部又は／及び前記右目用眼鏡レンズ部の各レンズを前記差分値がゼロに近づくように回転させる偏光眼鏡回転部をさらに有する請求項１に記載の立体映像システム。
【請求項３】
前記映写装置は、
前記検出部での検出結果に応じて前記左目用映像偏光部又は／及び前記右目用映像偏光部において、前記差分値がゼロに近づくように左目用映像と右目用映像の光の偏光方向を変化させる映写装置変更部をさらに有する請求項１に記載の立体映像システム。
【請求項４】
第一偏光方向にて左目用の映像をスクリーンに対して映写し、前記第一偏光方向と異なる偏光方向である第二偏光方向にて右目用の映像をスクリーンに対して映写する３Ｄ映像映写ステップと、
前記第一偏光方向又は／及び前記第二偏光方向と、左目用眼鏡レンズ又は／及び右目用眼鏡レンズが光を透過可能な偏光方向との差分値を検出する検出ステップと、
前記検出ステップにて検出された差分値に基づいて前記差分値をゼロにするための調整信号を生成する調整信号生成ステップと、
を含む立体映像映写装置偏光角度調整方法。
【発明の詳細な説明】
【技術分野】
【０００１】
本発明は、観察者が偏光眼鏡を使用して３Ｄ映像を観察する３Ｄシステムであって、偏光眼鏡をかけた観察者が顔を傾けた場合に、偏光眼鏡のレンズの偏光方向と映写装置から映写される左目用の映像と右目用の映像の偏光方向がずれることによって起こる、いわゆるクロストークを速やかに解消するためのクロストーク解消偏光３Ｄシステムに関する。
【背景技術】
【０００２】
飛び出し感のある３Ｄ映像を観察するための一般的な方式の一つとして、観察者が偏光眼鏡をかけてプロジェクタ等の映写装置によって映写される３Ｄ映像を観察することで、立体的に映像を観察することのできる、いわゆる偏光眼鏡方式が知られている。この方式では、右目用映像と左目用映像を何らかの方法によって互いに直交する偏光によって映写し、偏光眼鏡の右レンズは右目用映像の光と同じ偏光方向の、また、左レンズは左目用映像の光と同じ偏光方向の偏光フィルム等をレンズとしたりする。これにより、偏光眼鏡の右レンズに右目用映像の光のみを透過させ左レンズに左目用映像の光のみを透過させることで、観察者の右目には右目用映像が、左目には左目用映像が入ってくる。このような仕組みにより、観察者は左右の目でそれぞれ異なる映像を見ることで３Ｄ映像を立体的に観察することが可能である。
【０００３】
ところで、観察者がこの偏光眼鏡方式により３Ｄ映像を観察している時に、例えば体を横たえるなどした場合に、観察者がかけている偏光眼鏡の左右のレンズの偏光方向と、偏光されている３Ｄ映像の光の偏光方向とが一致しなくなるために、右目用映像の光が観察者の左目に入ってきたり左目用映像が右目に入ってきたりする、いわゆる、クロストークが発生する。このため、観察者は偏光眼鏡をかけて３Ｄ映像を観察している間は、頭を動かさないようにするなどの必要があった。
【０００４】
このようなクロストークの問題に対して、特許文献１ではその解決手段が開示されている。特許文献１では、偏光眼鏡の偏光レンズが自在に回転するようにして偏光レンズの下部におもりを固定することで、観察者の頭の傾きに応じて偏光レンズが回転し偏光レンズの偏光方向を修正するものである。
【特許文献１】特開平７−２３００６０号公報
【発明の開示】
【発明が解決しようとする課題】
【０００５】
しかしながら、このようなおもりを使用した場合には、偏光眼鏡が傾いてからレンズがおもりによって正しい位置に戻るまでに大きなタイムラグが発生するという問題点がある。このタイムラグが発生している間は、従来のようにクロストークが発生するのは避けられない。
【課題を解決するための手段】
【０００６】
本発明では、この課題を解決するために、偏光レンズの偏光方向と３Ｄ映像の光の偏光方向との差分値を電気的信号により検出する検出部を有した偏光眼鏡を使用する立体映像システムを提案する。
【０００７】
図１に本発明の実施例を示す。本発明の立体映像システムは左目用映像と右目用映像を異なる偏光方向の光により映写する映写装置と、映写装置から映写された映像を見るための偏光眼鏡とから構成される。映写装置は左目用映像を映写する左目用プロジェクトレンズと右目用映像を映写する右目用プロジェクトレンズを保持する。偏光眼鏡は、左目用眼鏡レンズと右目用眼鏡レンズを保持し、これらの二つのレンズは偏光フィルム等を利用することで偏光レンズとなっている。図示されていないが、本発明の立体映像システムの偏光眼鏡は自身の傾きを検出する検出部を内部又は外部、又は内部と外部に有している。ここで「傾き」とは、スクリーンに対して平行な面上で偏光眼鏡が左回り、又は右回りにどれだけ回転したかを示す傾きである。
【発明の効果】
【０００８】
以上のように、本発明の立体映像システムによれば、３Ｄ映像を観察している観察者の動き等により偏光眼鏡のレンズの偏光方向が変化した場合にどれだけ値が変化したかを示す差分値を電気的信号により検出し、検出された差分値がゼロになるまで、偏光眼鏡のレンズ又は映写装置のプロジェクトレンズを回転させることで、偏光眼鏡方式の３Ｄ映像観察方法において問題となるクロストークを速やかに解消することができる。
【発明を実施するための最良の形態】
【０００９】
以下に、本発明の実施の形態を説明する。なお、本発明はこれら実施の形態に何ら限定されるものではなく、その要旨を逸脱しない範囲において、種々なる態様で実施しうる。
【００１０】
なお、以下の実施形態と請求項の関係は次の通りである。
【００１１】
実施形態１は、主に請求項１、４などについて説明する。
【００１２】
実施形態２は、主に請求項２などについて説明する。
【００１３】
実施形態３は、主に請求項３などについて説明する。
（実施形態１）
【００１４】
（実施形態１：概要）
【００１５】
本実施形態は、左目用映像と右目用映像を異なる偏光方向の光により映写する映写装置と、映写装置から映写された映像を見るための偏光眼鏡とから構成され、３Ｄ映像の観察者が体を動かすことなどにより偏光眼鏡が傾き、偏光レンズの偏光方向が変化した場合の差分値を検出する機能を有する立体映像システムに関する。
【００１６】
（実施形態１：構成）
【００１７】
本実施形態に係る立体映像システムの機能ブロックを図２に例示する。
【００１８】
立体映像システムは、映写装置（０２１０）と、偏光眼鏡（０２２０）とからなる。
【００１９】
前記映写装置（０２１０）は、左右の目で異なる映像を認識させるために異なる偏光方向で左目用映像と、右目用映像とを映写する。「異なる偏光方向」とは、互いに直交する方向であるのが通常である。また、前記映写装置（０２１０）は、左目用映像偏光部（０２１１）と右目用映像偏光部（０２１２）とからなる。
【００２０】
左目用映像偏光部（０２１１）は、第一偏光方向にて左目用映像をスクリーンに対して映写する機能を有する。左目用映像の光を第一偏光方向に偏光させる方法は様々に考えられるが、例えば、前記映写装置（０２１０）の左目用映像を映写する左目用のプロジェクトレンズ等に第一偏光方向と同じ偏光方向である偏光フィルタを貼付することで左目用映像の光を偏光させて映写してもよいし、前記映写装置（０２１０）の内部で偏光ビームスプリッタ等により左目用映像の光を偏光させてからプロジェクトレンズ等で映写してもよい。
【００２１】
右目用映像偏光部（０２１２）は、第二偏光方向にて右目用映像をスクリーンに対して映写する機能を有する。右目用映像の光を第二偏光方向に偏光させる方法は前記左目用映像偏光部（０２１１）における偏光方法と同様に様々な方法が考えられる。
【００２２】
ここで、通常は「第一偏光方向」と「第二偏光方向」は互いに直交する方向である。
【００２３】
図３は、「第一偏光方向」と「第二偏光方向」についての具体例を例示する。水平方向を０°とすると、（Ａ）の偏光眼鏡の場合、第一偏光方向は０°、第二偏光方向は９０°である。また、（Ｂ）の偏光眼鏡の場合、第一偏光方向と第二偏光方向は互いに直交し（Ａ）より４５°傾かせたＶ字型になっている。（Ｃ）の偏光眼鏡は、偏光方向を逆にハの字型にしたものである。偏光レンズの偏光方向としては（Ａ）〜（Ｃ）のような場合が一般的である。
【００２４】
また、左目用映像偏光部（０２１１）と右目用映像偏光部（０２１２）は、一体の映写装置に構成されていなくとも、それぞれの偏光部を別々に有する二つの装置が、一体的に一つの映写装置として構成されていてもよい。
【００２５】
前記偏光眼鏡（０２２０）は、左目用眼鏡レンズ部（０２２１）と、右目用眼鏡レンズ部（０２２２）と、検出部（０２２３）とからなる。
【００２６】
左目用眼鏡レンズ部（０２２１）は、第一偏光方向の光を透過して観察者の左目に認識させるための機能を有する。第一偏光方向に偏光された光のみを透過させるために、第一偏光方向と同じ偏光方向である偏光フィルタ等をレンズとしたりすることで、左目用眼鏡レンズ部を実現することができる。
【００２７】
右目用眼鏡レンズ部（０２２２）は、第二偏光方向の光を透過して観察者の右目に認識させるための機能を有する。第二偏光方向に偏光された光のみを透過させるために、第二偏光方向と同じ偏光方向である偏光フィルタ等をレンズとしたりすることで、右目用眼鏡レンズ部を実現することができる。
【００２８】
検出部（０２２３）は、前記第一偏光方向又は／及び前記第二偏光方向と、前記左目用眼鏡レンズ部（０２２１）又は／及び前記右目用眼鏡レンズ部（０２２２）が光を透過可能な偏光方向との差分値を検出する機能を有する。具体的な検出方法は様々に考えられるが、一例を図４と図５に示す。
【００２９】
図４は、検出部（０２２３）における検出方法の具体例の一つを示す。偏光眼鏡（０４００）の端のほうに偏光眼鏡の傾き角度を検出するための小さな検出用レンズ（０４１０）が備えており、検出用レンズ（０４１０）も偏光レンズである。「傾き角度」とは、映写装置から映写される右目用映像又は左目用映像の光の偏光方向に対する、偏光眼鏡の右目用眼鏡レンズ又は左目用眼鏡レンズの偏光方向の傾き角度である。偏光眼鏡の傾きが無い状態では、あるいは差分値がゼロの時に、検出用レンズ（０４１０）の偏光方向を左目用眼鏡レンズ（０４２０）、又は右目用眼鏡レンズ（０４３０）と同じ偏光方向にしておく。検出用レンズ（０４１０）は回転可能なレンズになっており、内部又は外部に検出用レンズ（０４１０）を回転させるための回転機構と、レンズを透過する光の量を測定するための光量測定機構を有している。光量測定機構により測定される光量が極端に少なくなった時に、回転機構により検出用レンズ（０４１０）を回転させる仕組みになっている。
【００３０】
図５は、検出用レンズを回転機構によって回転させた時の回転角度と光量との関係を表すグラフを例示する。検出用レンズの偏光方向は、前述のように右目用眼鏡レンズ又は左目用眼鏡レンズの偏光方向と同じになっているため、偏光眼鏡の傾きが無い時は右目用映像又は左目用映像の光が透過するので、光量が最も多くなり検出用レンズは回転しない。回転角度と光量との関係を表すグラフとしては、（Ａ）のようなグラフとなる。例えば、偏光眼鏡が３０°傾いた場合、検出用レンズを透過する光量は極端に減少するので回転機構により検出用レンズが回転する。検出用レンズを回転させながら光量測定機構により光量を測定していくと、回転角度が３０°になった時に光量が急激に増大する（（Ｂ）の場合）。ここで検出用レンズと、右目用映像又は左目用映像の光の偏光方向が一致しているので回転機構は停止する。以上のような過程により、３０°という角度が検出できる。このような検出用のレンズを別途に偏光眼鏡が有することで、偏光眼鏡の傾き角度を検出することができる。ところで、右目用映像と左目用映像の光の偏光方向は９０°のずれがあるので、偏光眼鏡が９０°以上傾いた場合には"差分値−９０°"の回転角度で光量が最大になってしまう。例えば、偏光眼鏡の傾きが無い状態において検出用レンズの偏光方向を左目用眼鏡レンズと同じ偏光方向にしておいた場合に、偏光眼鏡が１２０°傾いたとすると、検出用レンズを３０°回転させたところで検出用レンズの偏光方向が右目用映像の光と同じ偏光方向となるため、光量も最大になる。実際の３Ｄ映像観察時には、観察者の顔が９０°以上傾くなどしなければこのような状況は起こらないので、非常に起こりにくい状況であると考えられる。しかし、このような状況を想定するならば、例えば、左目用映像と右目用映像に異なるマーキング等をしておき、検出用レンズでマークも同時に検出するようにしておくことで左目用映像と右目用映像を区別するようになっていてもよい。マーキングは、例えば電子透かしなどを用いて人間の肉眼では見ることができないが検出用レンズは検出できるようにしておけば映像の視聴の邪魔にならない。
【００３１】
（実施形態１：処理の流れ）
【００３２】
図６は、本実施形態に係る立体映像システムにおける処理の流れを説明するフロー図を例示する。
【００３３】
最初に、前記差分値が発生したかどうか常時監視することで、差分値の検出を行う。この処理は前記検出部にて行われる（差分値検出ステップ  Ｓ０６１０）。
【００３４】
次に、観察者が３Ｄ映像の観察を終了したかどうかを判断する。終了していなければ差分値検出ステップ（Ｓ０６１０）に戻る。終了したかどうかの判断方法は様々に考えられるが、例えば、観察者が偏光眼鏡を外したことをもって終了と判断してもよいし、映写装置の電源が切られたことをもって終了と判断してもよい（終了判断ステップ  Ｓ０６２０）。
【００３５】
（実施形態１：効果）
【００３６】
本実施形態の立体映像システムによれば、観察者が偏光眼鏡をかけて３Ｄ映像を観察中に体を動かすことなどにより偏光眼鏡が傾いた場合に、３Ｄ映像の光の偏光方向と偏光眼鏡の偏光レンズの偏光方向の差分値を検出することができる。
（実施形態２）
【００３７】
（実施形態２：概要）
【００３８】
本実施形態は、実施形態１の立体映像システムの機能に加えて、さらに偏光眼鏡は、前記検出部での検出結果に応じて前記左目用眼鏡レンズ部又は／及び前記右目用眼鏡レンズ部の各レンズを前記差分値がゼロに近づくように回転させる機能を有する立体映像システムに関する。
【００３９】
（実施形態２：構成）
【００４０】
本実施形態に係る立体映像システムの機能ブロックを図７に例示する。
【００４１】
立体映像システムは、映写装置（０７１０）と、偏光眼鏡（０７２０）とからなる。
【００４２】
前記映写装置（０７１０）は、左目用映像偏光部（０７１１）と右目用映像偏光部（０７１２）とからなる。また、前記偏光眼鏡（０７２０）は、左目用眼鏡レンズ部（０７２１）と、右目用眼鏡レンズ部（０７２２）と、検出部（０７２３）と、偏光眼鏡回転部（０７２４）とからなる。ここで、前記偏光眼鏡回転部（０７２４）以外の構成に関しては、実施形態１に係る立体映像システムの構成と同様であるので、ここでの説明は省略する。
【００４３】
偏光眼鏡回転部（０７２４）は、前記検出部（０７２３）での検出結果である差分値に応じて前記左目用眼鏡レンズ部（０７２１）又は／及び前記右目用眼鏡レンズ部（０７２２）の各レンズを、前記差分値がゼロに近づくように回転させる機能を有する。故に、本実施形態に係る立体映像システムの偏光眼鏡は、前記左目用眼鏡レンズ部（０７２１）と前記右目用眼鏡レンズ部（０７２２）が回転可能に保持されていることが前提である。
【００４４】
図８は、偏光眼鏡の各レンズの動作を例示する。偏光眼鏡は外側から見た図である。（Ａ）は通常時、クロストークが発生せずに、観察者が３Ｄ映像を観察している時の偏光眼鏡の状態であり、偏光眼鏡が水平になっているとする。ここで、偏光眼鏡の左右の各レンズの偏光方向は４５°傾いたハの字型である。例えば、観察者が顔を４５°傾けたとすると、（Ｂ）のように偏光眼鏡も水平角度に対して４５°傾く。この時、左目用眼鏡レンズ（０８１０）と右目用眼鏡レンズ（０８２０）の偏光方向も４５°ずれる。偏光眼鏡がこのような状態になった時、前記検出部（０７２３）では４５°という差分値を検出し、検出された差分値により前記偏光眼鏡回転部（０７２４）により左目用眼鏡レンズ（０８１０）と右目用眼鏡レンズ（０８２０）が傾きとは逆方向に４５°回転されて、各レンズの偏光方向が（Ａ）と同じ方向になる（（Ｃ））。
【００４５】
また、図９は、偏光眼鏡回転部（０７２４）の実装例の一つを示す。左図は偏光眼鏡のレンズとその周辺フレームの断面図であり、右図はレンズとフレームが接する部分の拡大図である。フレームのほうは圧電素子（０９１０）でできており、レンズ（０９３０）の周囲には保護部材（０９２０）が付いている。保護部材（０９２０）は、レンズ（０９３０）が圧電素子（０９１０）と直接に触れないように保護するためのものであるので、例えばセラミックスのような材料でもよい。圧電素子（０９１０）は一般的にアクチュエータとして利用されるものなのでここでの詳細な説明は省くが、電圧を加えると微小に伸縮する素子である。また、圧電素子（０９１０）はレンズ（０９３０）とフレームの間に一定の間隔で付けられており、これらの圧電素子（０９１０）に順番に電圧をかけていくと圧電素子（０９１０）が伸縮することでレンズ（０９３０）が動いて回転する。
【００４６】
（実施形態２：処理の流れ）
【００４７】
図１０は、本実施形態に係る立体映像システムにおける処理の流れを説明するフロー図を例示する。後述する差分値検出ステップ（Ｓ１０１０）と終了判断ステップ（Ｓ１０３０）は、図６に例示したフローチャートのＳ０６１０とＳ０６２０と同様であるので、詳細な説明は省略する。
【００４８】
最初に、前記差分値が発生したかどうか常時監視することで、差分値の検出を行う（差分値検出ステップ  Ｓ１０１０）。
【００４９】
次に、前記差分値検出ステップ（Ｓ１０１０）により検出された差分値に応じて、偏光眼鏡の左目用眼鏡レンズ部又は／及び右目用眼鏡レンズ部の各レンズを差分値がゼロに近づくように回転させる。この処理は前記偏光眼鏡回転部にて行われる（偏光眼鏡回転ステップ  Ｓ１０２０）。
【００５０】
最後に、観察者が３Ｄ映像の観察を終了したかどうかを判断する。（終了判断ステップ  Ｓ１０３０）。
【００５１】
（実施形態２：効果）
【００５２】
本実施形態の立体映像システムによれば、観察者が偏光眼鏡をかけて３Ｄ映像を観察中に体を動かすことなどにより偏光眼鏡が傾いた場合に、偏光眼鏡の左目用眼鏡レンズ又は／及び右目用眼鏡レンズを回転させることにより、映写装置から映写される３Ｄ映像の偏光方向と偏光眼鏡の各レンズの偏光方向を一致させることができるので、クロストークを解消することができる。
（実施形態３）
【００５３】
（実施形態３：概要）
【００５４】
本実施形態は、実施形態１の立体映像システムの機能に加えて、さらに映写装置は、前記検出部での検出結果に応じて前記左目用映像偏光部又は／及び前記右目用映像偏光部において、前記差分値がゼロに近づくように左目用映像と右目用映像の光の偏光方向を変化させる機能を有する立体映像システムに関する。
【００５５】
（実施形態３：構成）
【００５６】
本実施形態に係る立体映像システムの機能ブロックを図１１に例示する。
【００５７】
立体映像システムは、映写装置（１１１０）と、偏光眼鏡（１１２０）とからなる。
【００５８】
前記映写装置（１１１０）は、左目用映像偏光部（１１１１）と右目用映像偏光部（１１１２）と、映写装置変更部（１１１３）とからなる。また、前記偏光眼鏡（１１２０）は、左目用眼鏡レンズ部（１１２１）と、右目用眼鏡レンズ部（１１２２）と、検出部（１１２３）とからなる。ここで、前記映写装置変更部（１１１３）以外の構成に関しては、実施形態１に係る立体映像システムの構成と同様であるので、ここでの説明は省略する。
【００５９】
映写装置変更部（１１１３）は、前記検出部（１１２３）での検出結果である差分値に応じて前記左目用映像偏光部（１１１１）又は／及び前記右目用映像偏光部（１１１２）において、前記差分値がゼロに近づくように左目用映像と右目用映像の光の偏光方向を変化させる機能を有する。左目用映像と右目用映像の光の偏光方向を変化させる方法は、前記左目用映像偏光部（１１１１）と前記右目用映像偏光部（１１１２）における偏光方法によるが、左目用と右目用のプロジェクトレンズ等に偏光フィルム等を貼付して左目用映像と右目用映像の光を偏光させて映写しているならば、実施形態２の偏光眼鏡回転部のように各プロジェクトレンズ等を回転させても良いし、前記映写装置（１１１０）の内部で偏光ビームスプリッタ等により左目用映像と右目用映像の光を偏光させているならば、偏光ビームスプリッタ等を回転させることで左目用映像と右目用映像の光の偏光方向を変化させてもよい。また、映写装置変更部（１１１３）と前記検出部（１１２３）は通信手段を有するが、通信は有線によってもよいし無線によってもよい。無線であれば、例えばＢｌｕｅｔｏｏｔｈ（登録商標）、赤外線などの不可視光線でもよいし、可視光線によってもよい。
【００６０】
図１２は、プロジェクトレンズで左目用映像と右目用映像の光を偏光させて映写している場合の、偏光眼鏡の傾きに伴う映写装置の各プロジェクトレンズの動作を例示する。映写装置は前面から見た図であり、偏光眼鏡は外側から見た図である。（Ａ）は通常時、クロストークが発生せずに観察者が３Ｄ映像を観察している時の偏光眼鏡と映写装置のプロジェクトレンズの状態である。ここで、偏光眼鏡の左右の各レンズの偏光方向は４５°傾いたハの字型であり、映写装置の左右の各プロジェクトレンズの偏光方向も偏光眼鏡の各レンズと同じ方向である。例えば、観察者が顔を４５°傾けたとすると、（Ｂ）のように偏光眼鏡も水平角度に対して４５°傾く。この時、左目用眼鏡レンズ（１２１０）と右目用眼鏡レンズ（１２２０）の偏光方向も４５°ずれる。偏光眼鏡がこのような状態になった時、前記検出部（１１２３）では４５°という差分値を検出し、検出された差分値により前記映写装置回転部（１１１３）により左目用のプロジェクトレンズ（１２３０）と右目用のプロジェクトレンズ（１２４０）が偏光眼鏡の各レンズの偏光方向に合わせて４５°回転されて、偏光眼鏡の各レンズと映写装置の各プロジェクトレンズの偏光方向が一致する状態になる（（Ｃ））。また、図１２における映写装置回転部（１１１３）の具体的な実装方法は様々に考えられるが、図１０により説明されている実施形態２の前記偏光眼鏡回転部の一例と同様に、圧電アクチュエータ等を利用して映写装置の各プロジェクトレンズを回転させればよい。
【００６１】
（実施形態３：処理の流れ）
【００６２】
図１３は、本実施形態に係る立体映像システムにおける処理の流れを説明するフロー図を例示する。後述する差分値検出ステップ（Ｓ１３１０）と終了判断ステップ（Ｓ１３３０）は、図６に例示したフローチャートのＳ０６１０とＳ０６２０と同様であるので、詳細な説明は省略する。
【００６３】
最初に、前記差分値が発生したかどうか常時監視することで、差分値の検出を行う（差分値検出ステップ  Ｓ１３１０）。
【００６４】
次に、前記差分値検出ステップ（Ｓ１３１０）により検出された差分値に応じて、映写装置の左目用映像偏光部又は／及び右目用映像偏光部において、差分値がゼロに近づくように左目用映像と右目用映像の光の偏光方向を変化させる。この処理は前記映写装置変更部にて行われる（映写装置回転ステップ  Ｓ１３２０）。
【００６５】
最後に、観察者が３Ｄ映像の観察を終了したかどうかを判断する。（終了判断ステップ  Ｓ１３３０）。
【００６６】
（実施形態３：効果）
【００６７】
本実施形態の立体映像システムによれば、観察者が偏光眼鏡をかけて３Ｄ映像を観察中に体を動かすことなどにより偏光眼鏡が傾いた場合に、映写装置の前記左目用映像偏光部又は／及び前記右目用映像偏光部において左目用映像と右目用映像の光の偏光方向を変化させ、偏光眼鏡の各レンズの偏光方向と一致させることができるので、クロストークを解消することができる。
【図面の簡単な説明】
【００６８】
【図１】本発明の実施例を示す図
【図２】実施形態１に係る立体映像システムの機能ブロック図
【図３】偏光レンズの偏光方向の一例図
【図４】検出部における検出方法の一例図
【図５】検出部における検出方法の一例図
【図６】実施形態１に係る立体映像システムの処理の流れを説明するフロー図
【図７】実施形態２に係る立体映像システムの機能ブロック図
【図８】偏光眼鏡の各レンズの動作の一例図
【図９】偏光眼鏡回転部の実装例を示す図
【図１０】実施形態２に係る立体映像システムの処理の流れを説明するフロー図
【図１１】実施形態３に係る立体映像システムの機能ブロック図
【図１２】映写装置の各プロジェクトレンズの動作の一例図
【図１３】実施形態３に係る立体映像システムの処理の流れを説明するフロー図
【図１】
2006113088.tif 000003
【図２】
2006113088.tif 000004
【図３】
2006113088.tif 000005
【図４】
2006113088.tif 000006
【図５】
2006113088.tif 000007
【図６】
2006113088.tif 000008
【図７】
2006113088.tif 000009
【図８】
2006113088.tif 000010
【図９】
2006113088.tif 000011
【図１０】
2006113088.tif 000012
【図１１】
2006113088.tif 000013
【図１２】
2006113088.tif 000014
【図１３】
2006113088.tif 000015